(57)【要約】【課題】遮音材層と吸音層とペーパーコア層の空気層により、機能開口やペーパーコア層のコア内に様々な吸音材料を充填することにより、低音域を含めて最適の音響空間を実現できる。【解決手段】ペーパーコア材４に機能開口１０を形成し、グラスウールなどの低音吸収材料１２を充填して、ペーパーコア層１とする（ｄ）。繊維材料を圧縮した繊維硬質板から吸音層２０とする。石膏ボードから遮音層３０とする。ペーパーコア層１の一面６に吸音層２０を、他面６ａに遮音層３０をそれぞれ密着させて各層が積層された一体のパネル４０を構成する（ｂ）〜（ｄ）。パネル４０は、金属製等の断面コ字状の枠材４２を四周に設け、吸音層２０の外面２１ａ、遮音層３０の外面３１ａをそれぞれ装飾布４４、４４で覆ってある（ａ）（ｂ）。【選択図】図１
2014109118.tif 000002
【特許請求の範囲】
【請求項１】
以下のように構成したことを特徴とするペーパーコア材を使った吸音パネル。
(1)多数の「帯状の紙材」を積層してなるペーパーコア材を使用してペーパーコア層を形成する。
(2)前記ペーパーコア層の一面に、繊維材料を圧縮して板状に形成した吸音層を、密着して重ねて又は間隙を介在させて重ねて、固定する。
(3)前記ペーパーコア層の他面に、遮音層を、密着して重ねて又は間隙を介在させて重ねて、固定する。
【請求項２】
以下のように構成したことを特徴とするペーパーコア材を使った吸音パネル。
(1)多数の「帯状の紙材」を積層してなるペーパーコア材を使用してペーパーコア層を形成する。
(2)前記ペーパーコア層の一面に、繊維材料を圧縮して板状に形成した吸音層を、密着して重ねて又は間隙を介在させて重ねて、固定する。
(3)前記ペーパーコア層の他面に、遮音層を、密着して重ねて又は間隙を介在させて重ねて、固定する。
(4)前記ペーパーコア層は、前記ペーパーコア材の一部を除去した部分に、あるいはペーパーコア材を配置しない部分に機能開口を形成した。
(5)前記機能開口内に、低音域吸収材料を収容した。
【請求項３】
以下のように構成したことを特徴とするペーパーコア材を使った吸音パネル。
(1)多数の「帯状の紙材」を積層してなるペーパーコア材を使用してペーパーコア層を形成する。
(2)前記ペーパーコア層の一面に、繊維材料を圧縮して板状に形成した吸音層を、密着して重ねて又は間隙を介在させて重ねて、固定する。
(3)前記ペーパーコア層の他面に、遮音層を、密着して重ねて又は間隙を介在させて重ねて、固定する。
(4)前記ペーパーコア層であって、ペーパーコア材の選択したコア内に、低音域吸収材料を収容した。
【請求項４】
機能開口の少なくとも一縁に、補強内桟材を配置する請求項１乃至請求項３の何れか１項に記載のペーパーコア材を使った吸音パネル。
【発明の詳細な説明】
【技術分野】
【０００１】
この発明は、ハニカムコア、バイアスコアなどのペーパーコア材により形成される板間の隙間を使って音響条件を整えることを主な目的としたペーパーコア材を使った吸音パネルに関する。この吸音パネルは間仕切りなどに使用される。
【背景技術】
【０００２】
従来、ハニカムコア材を補強材として使用したパネルは多々提案されている。例えば、横架片により仕切られた枠室内に、ハニカムコア材を収納してパネルを構成する提案があった（特許文献１）。この場合、ハニカムコア材は、補強材として使用され、枠室内に隙間無く敷き詰めていた。  
また、特殊フェルト材の吸音効果に着目して、特殊フェルト板と遮音板を空気層を介在させて、顕著な吸音効果を実現させる提案もあった（特許文献２）。
【先行技術文献】
【特許文献】
【０００３】
【特許文献１】特開平７−９６５６９公報
【特許文献２】特開２００９−２６４０２９
【発明の概要】
【発明が解決しようとする課題】
【０００４】
前記ハニカムコア材は、クラフト紙からなり、軽量化と強度を合わせ持った効果を奏するが、ハニカムコア材を敷き詰めた面に張るボードは、アルミ箔、クラフト紙と塩化ビニルを積層したものであり、単に軽さと耐久性を追求した構造であり、音響的には何ら考慮されていない。  
また、特殊フェルト板と遮音板の組み合わせによるパネルは、一面側で主に高音域の吸音効果を他面側で遮音効果を奏するものであり、オフィスのパーテーションには最適であるが、その他の音響効果は考慮されていなかった。また、この場合、有効な吸音効果を発揮するためには、特殊フェルト板と遮音板との間の空気層が必須であるが、空気層は隙間でればよく、空気層それ自体で吸音効果は無かった。
【課題を解決するための手段】
【０００５】
そこでこの発明では、ペーパーコア材からなるペーパーコア層の一面に吸音層、他面に遮音層を設け、空気層内にペーパーコア材を配置することにより、各コアの間隙の空気層の効果に加えて、ペーパーコア層の各コアを囲む紙材の振動性能に着目して、総合的な吸音性能の向上を図った。また、ペーパーコア層に開口を形成して低音域吸収材を収容して音域を分けての吸音性能の向上を図ったので、前記問題点を解決した。
【０００６】
すなわち、この発明は、以下のように構成したことを特徴とするペーパーコア材を使った吸音パネルである。  
(1)多数の「帯状の紙材」を積層してなるペーパーコア材を使用してペーパーコア層を形成する。  
(2)前記ペーパーコア層の一面に、繊維材料を圧縮して板状に形成した吸音層を、密着して重ねて又は間隙を介在させて重ねて、固定する。  
(3)前記ペーパーコア層の他面に、遮音層を、密着して重ねて又は間隙を介在させて重ねて、固定する。
【０００７】
また、他の発明は、以下のように構成したことを特徴とするペーパーコア材を使った吸音パネルである。  
(1)多数の「帯状の紙材」を積層してなるペーパーコア材を使用してペーパーコア層を形成する。  
(2)前記ペーパーコア層の一面に、繊維材料を圧縮して板状に形成した吸音層を、密着して重ねて又は間隙を介在させて重ねて、固定する。  
(3)前記ペーパーコア層の他面に、遮音層を、密着して重ねて又は間隙を介在させて重ねて、固定する。  
(4)前記ペーパーコア層は、前記ペーパーコア材の一部を除去した部分に、あるいはペーパーコア材を配置しない部分に機能開口を形成した。  
(5)前記機能開口内に、低音域吸収材料を収容した。
【０００８】
また、他の発明は、以下のように構成したことを特徴とするペーパーコア材を使った吸音パネルである。  
(1)多数の「帯状の紙材」を積層してなるペーパーコア材を使用してペーパーコア層を形成する。  
(2)前記ペーパーコア層の一面に、繊維材料を圧縮して板状に形成した吸音層を、密着して重ねて又は間隙を介在させて重ねて、固定する。  
(3)前記ペーパーコア層の他面に、遮音層を、密着して重ねて又は間隙を介在させて重ねて、固定する。  
(4)前記ペーパーコア層であって、ペーパーコア材の選択したコア内に、低音域吸収材料を収容した。
【０００９】
また、前記各発明において、機能開口の少なくとも一縁に、補強内桟材を配置するペーパーコア材を使った吸音パネルである。
【００１０】
前記における多数の「帯状の紙材」を積層してなるペーパーコア材とは、いわゆる６角形のコアのペーパーハニカム、平行四辺形のコアのバイアスコアなどを含む概念であり、コア形状に限定されない。
【００１１】
また、前記における各層を固定しての積層とは、主に接着して積層する場合であるが、接着せずに、接着以外の何らかの手段で、ペーパーコア材の少なくとも外周側で各層が互いに動かないようにすることも含む。
【発明の効果】
【００１２】
この発明は、ペーパーコア材からなるペーパーコア層、吸収層、遮音層を積層してパネルを構成したので、パネルを吸収すべき音源に吸収層の外面を向けて配置すれば、まず吸収層で高音域の音が吸収され、ペーパーコア材のコア内の空気層を通過して、遮音層の内面で反射した音が再度、ペーパーコア材のコア内の空気層を通過して、吸収層の内面側から再度吸収される。この際、吸収層を通過した音の成分は、ペーパーコア材のコアの紙材の表面で乱反射して、また一部は紙材に吸収されるので、吸音性能を高めることができる。  
また、機能開口を設けた場合には機能開口内の低音吸収材により、設けない場合にはコア内の低音吸収材により、吸音層を通過した低音域を含む成分を吸収できる。
【００１３】
したがって、このパネルでは、音源の性質に応じて、あるいは、遮音層側で聞きたい又は聞きたくない音域の音に応じて、高音域、あるいは低音域及び高音域の成分を吸収して、最適な音響空間を構成できる。この場合、機能開口の位置を移動し、あるいはペーパーコア材のペーパーコア内の音響的な性質を容易に変更できる。
【図面の簡単な説明】
【００１４】
【図１】図１はこの発明の実施例のパネルで、（ａ）は枠材及び装飾布を取り付けた正面図、（ｂ）Ａ−Ａ断面図、（ｃ）はパネルの斜視図、（ｄ）はパネルの分解斜視図である。
【図２】図２はこの発明の実施例に使用するペーパーコア材で、（ａ）は広げる前の折り畳んだ状態、（ｂ）は広げた使用状態を表す。
【図３】図３は、この発明の他の枠材を使用したパネルの正面図である。
【図４】図４は、この発明の他の枠材を使用したパネルの分解斜視図である。
【図５】図５は、この発明の他の枠材を使用したパネルの分解斜視図である。
【図６】図６（ａ）〜（ｆ）はこの発明の他の機能開口を表す正面図である。
【図７】図７（ａ）（ｂ）は、他の機構開口の構造を表す断面図である。
【図８】図８（ａ）〜（ｆ）は、各層間に隙間を設けた実施例の縦断面図である。
【図９】図９は、繊維硬質板の吸音性能を測定した実験結果のグラフで、（ａ）は残響室法吸収率の測定、（ｂ）は透過損失の測定、を表す。
【発明を実施するための形態】
【００１５】
１．パネル４０の実施形態
【００１６】
（１）  帯状のクラフト材２、２を重ねて、一部を接着して積層した基材３を構成し（図２（ａ））、基材３の両端３ａ、３ａを引けば、縦横比が１：２の長方形のコア５、５を斜めに配置してなるペーパーコア材（いわゆる、バイアスコア）４を形成する（図２（ｂ））。ペーパーコア材４を厚さｔ１、横Ｄ１、縦Ｈで形成して中央部でペーパコア材４を切断除去して機能開口１０を形成する（図１（ｄ））。  
ここでは、機能開口１０は機能開口は切断除去したので、厚さはｔ１（＝ペーパーコア材４の厚さ）となり、正面視長方形で、厚さｔ１方向に面に直角な直方体状に形成する。また、機構開口１０内に低音吸収材料１２（例えば、グラスウールやポリエステル樹脂繊維を圧縮した材料）を充填して、ペーパーコア層１とする（図１（ｄ））。
【００１７】
（２）  繊維材料を圧縮して吸音層２０を構成する。  
例えば、ＰＥＴ（ポリエチレンテレフタレート）樹脂繊維と塩化ビニル繊維とを含む材料を圧縮して、フェルト状の板として、この板から吸音層２０を形成する。 吸音層２０は、厚さｔ２、横Ｄ１、縦Ｈで形成する。  
また、吸音層２０は、例えば、以下のようにして製造した材料を使用することもできる。天然繊維と化学繊維とからなるリサイクル繊維原料を解繊し、バインダー樹脂として、これにＰＥＴ樹脂繊維を混合して原反を作り、この原反を５０℃〜１５０℃程度に加熱し冷熱ロールを使用して、面重量０．５〜１．０ｋｇ／ｍ２、空気流れ抵抗値１０００〜４０００Ｎ・ｓ／ｍ３の繊維硬質板を形成して、この繊維硬質板から吸音層２０を構成する。
【００１８】
図９は、この繊維硬質板（厚さ６ｍｍ）を単独で用いて、縦型ブラインドのスラットとしてレールに吊って使用した場合に、その音響性能を測定した。ここで、「ブラインド閉」はレールに対してスラットを略平行にした状態（スラットが面状に並べられて配置された状態）、「ブラインド開」はスラットをレールに対して略９０度に配置した状態を表す。また、スラットと壁の間の背後空気層を１００ｍｍに設定したものである。また、「アルミ製横型ブラインド」とは、水平方向に配置したスラットを上下に多数並べたブラインドである。また、図９（ｂ）で「窓ガラス単体」はブラインドを使用しない窓ガラスのみの開口部で、「窓ガラス／吸音ブラインド閉」はその窓ガラスに図９（ａ）の縦型のブラインドを閉状態で併用した開口部で、「窓ガラス／吸音ブラインド開」はその窓ガラスに図９（ａ）の縦型のブラインドを開状態で併用して開口部である。  
図９（ａ）の残響室法吸音率の測定、図９（ｂ）の透過損失のいずれも、ブラインド閉の場合、１０００Ｈｚ以上での吸音性能が際だって良いことがわかる。
【００１９】
（３）  いわゆる石膏ボードから遮音層３０を形成する。石膏ボードに替わって、遮音性能を有する他の材料を使用することもできる。  
例えば、波形の中間材を表面材と裏面材で挟んで一体に成形しして構成することもできる（図示していない）。この場合、中間材、表面材、裏面材はいずれもポリプロピレン製樹脂などで構成する。
【００２０】
（４）  ペーパーコア層１の一面６に吸音層２０を、他面６ａに遮音層３０をそれぞれ密着させて接着して、各層が積層された一体のパネル４０を構成する（図１（ｂ）〜（ｄ））。この場合、ペーパーコア層１、吸音層２０、遮音層３０で、各上縁８、２３、３３、下縁８ａ、２３ａ、３３ａ、両側縁７、２２、３２を揃えて積層する。  
この場合、通常ペーパーコア層１の一面６及び他面６ａの板状の端面の全面に接着剤を塗布して、それぞれ吸音層２０の内面２１、遮音層３０の内面３１をそれぞれ接着して積層する。なお、この場合、遮音層３０の内面３１の全面に接着剤を塗布して積層することもできるが、吸音層２０の両面２１、２１ａは空気を通す必要があるので、できるだけ接着剤で表面を覆わないようにする。
【００２１】
２．パネル４０の使用
【００２２】
（１）  パネル４０は、ペーパーコア層１の両面に板状の吸音層２０、遮音層３０を接着固定したので、単独でも自立して配置できるが、枠材４２を設けることもできる。一般には、隣接するパネル４０、４０同士の接合、パネル４０を壁や天井に取り付ける作業性を考慮して、金属製又は硬質樹脂製で、断面コ字状の枠材４２（縦枠材４２ａ、横枠材４２ｂ）を四周に設ける（図１（ａ）（ｂ））。  
また、パネル４０の吸音層２０の外面２１ａ、遮音層３０の外面３１ａをそれぞれ装飾布４４、４４で覆い、装飾布４４の四周を枠材４２とパネル４０（吸音層２０、遮音層３０）との間に挟み込んである（図１（ａ）（ｂ））。  
この場合、装飾布４４としては、例えば繊維を編んだ織物製で、繊維の表面と裏面との間で空気を通す透孔が形成されることが必要である。任意の模様を形成できるので、設置スペースの好みに応じて、適宜選択して使用することもできる。
【００２３】
（２）  以上のように形成した「枠４２と装飾布４４を取り付けた」パネル４０、または「枠材４２や装飾布４４を使用しない」単独のパネル４０は、吸収すべき音源側に吸音層２０の外面２１ａを向けて使用する。機能開口１０の大きさと位置、使用する吸音材の性能などを選択して、例えば、オーディオ鑑賞ルームの壁面・天井面あるいは部屋空間の内側のある地点で、低音域を吸音して、効果的な音空間を構築したい場合には、所望する低音域吸音性能に応じて大きめの機能開口を形成して、低音吸収材料を充填してなるパネルを使用し、高音域の吸収を望む場合には、機能開口１０を形成しないパネルを組み合わせて使用する。この場合、様々な吸音音域の異なるパネルをたくさん用意することなく、少ない枚数で所望の吸音性能のパネルを構成できる。  
また、１枚のパネル４０で、機能開口１０、低音吸収材１２を任意の大きさ及び位置並びに深さに形成できるので、１枚のパネルで、高音域の吸収領域、低音域の吸収領域を設定できる（図示していない）。
【００２４】
（３）  同様に、間仕切りとして使用して、低音域の騒音、高音域の騒音を、発生源に合わせて機能開口１０を構成すれば、隣接する場所での騒音を効率的に軽減できる。前記における低音域の騒音又は高音域の騒音は、「比較的高音域を多く含む騒音」又は「比較的低音域を多く含む騒音」という意味である。また、一般的には周波数１０００Ｈｚ未満を低音域（特に５００Ｈｚ以下）、周波数１０００Ｈｚ以上を高音域（特に１５００Ｈｚ以上）として考える。
【００２５】
（４）  この場合、機能開口１０の位置・形状は、
・２つの四角形の機能開口１０を上部及び下部にそれぞれ設ける（ａ）。
【００２６】
・２つの円形の機能開口を上部及び下部にそれぞれ設ける（ｂ）。
【００２７】
・１つの横長帯状（横長長方形）の機能開口１０を中央部に設ける（ｃ）。
【００２８】
・２つの横長帯状（横長長方形）の機能開口１０を上部及び下部に設ける（ｄ）。
【００２９】
・１つの縦長帯状（縦長長方形）の機能開口１０を中央部に設ける（ｅ）。
【００３０】
・２つの縦長帯状（縦長長方形）の機能開口１０を左右両端部に設ける（ｆ）。
【００３１】
など、所望の設計条件により選択して構成する（図６）。
【００３２】
（５）  また、前記実施例において、機能開口１０はペーパーコア層４を貫いて構成したが（すなわち厚さはｔ１で構成したが）、一面６側から設けた機構開口１２が他面６ａ側に達していなくとも良く、また、他面６ａ側から設けた機構開口１２が一面６側に達していなくとも良く、機能開口１０の厚さは所望の性能に応じて任意に決めることができる（図示していない）。
【００３３】
（６）前記において、パネル４０の寸法（＝ペーパーコア層の寸法）は例えば、
Ｄ１＝９００〜１２００ｍｍ程度
Ｈ＝２００ｍｍ〜天井高  程度
で形成する。ペーパーコア層１の厚さｔ１は、一般にペーパーコア材４の規格によるが、ペーパーコア層１のコア５、５内がが空気層と考えれば、
ｔ１＝５０ｍｍ〜３００ｍｍ程度
が望ましい。  
また、吸音層２０の厚さｔ２は、
ｔ２＝３ｍｍ〜１０ｍｍ
程度であり、求める高音域の吸収性能に応じて設定する。  
また、遮音層３０の厚さｔ３は、石膏ボードの厚さによるが、
ｔ３＝９ｍｍ〜１５ｍｍ
程度である。なお、遮音層３０を鋼板から構成すれば、
ｔ３＝０．２ｍｍ〜０．６ｍｍ程度
でも可能である。
【００３４】
３．他の実施態様
【００３５】
（１）  前記実施形態において、断面コ字状の枠材４２を使用したが、パネル４０の四周に棒状の縦枠材４６、横枠材４６ａを枠状に固定することもできる（図３）。
【００３６】
（２）  また、前記実施態様において、予めペーパーコア層１の四周に厚さｔ１の内桟材４８（縦内桟材４８ａ、横内桟材４８ｂ）を固定することもできる（図４）。ペーパーコア層１の四周を厚さｔ１の内桟材４８（縦内桟材４８ａ、横内桟材４８ｂ）の分だけ小さく形成して、予め縦内桟材４８ａ、横内桟材４８ｂをペーパーコア層１の外周（上下縁８、８ａ、側縁７、７）に固定して、内桟材４８ａ、４８ｂを固定したペーパーコア層１に吸音層２０、遮音層３０を積層固定する（図４）。したがって、この場合には、吸音層２０、遮音層３０の四周は、縦内桟材４８ａ、横内桟材４８ｂに固定される。また、この場合で、取り付け用の内桟材４８ａ、４８ｂは、四周ではなく、少なくとも１つ設けてあれば良い（図示していない）。
【００３７】
（３）  また、前記実施態様において、ペーパーコア層１の内部に、補強用又は取付用の補強内桟材４９を設けることもできる（図５）。とりわけ、機能開口１０の縁部分に設けると有効である。  
例えば、ペーパーコア層の上下両端部に横内桟材４８ｂ、４８ｂを設け、さらに機能開口１０の上縁下縁にも補強内桟材４９、４９を設ける（図５）。また、補強内桟材４９を機能開口１０を囲むように配置することもできる（図示していない）。
【００３８】
（４）  また、前記実施態様において、機能開口１０を設けて低音域吸収材を充填したが、機能開口１０を省略して、低音域の吸収が求められる位置で、ペーパーコア材のコア５、５の一部に低音域吸収材１２を充填することもできる（図示していない）。
【００３９】
（５）  また、前記実施態様において、ペーパーコア層１の前面に接着剤を塗布して、吸音層２０、遮音層３０を積層したが、ペーパーコア層１の各コアの紙材（クラフト紙）の移動を自由とすれば、紙材の振動をより生かして騒音を吸収することもできるので、外周部のみを接着して、中心部側をフリーにすることもできる（図示していない）。  
特に、枠材４２を使用する場合には、枠材４２にペーパーコア層１の外周、吸音層２０の外周、遮音層３０の外周をそれぞれ接着固定できるので、ペーパーコア層１と吸音層２０、ペーパーコア層１と遮音層３０は、それぞれ積層されていれば良く、接着されている必要は無い。
【００４０】
（６）  また、前記実施態様において、ペーパコア層１の厚さｔ１と同じに深さｔ１の機構開口１０を形成したが、他の構成とすることもできる（図７）。  
すなわち、ペーパコア層１の一面６ａ側（吸音層２０側）にのみ深さｔ５の機構開口１０を形成することもできる（図７（ａ））。この場合には、吸音層２０側付近のペーパコア層１には低音吸収材１２は配置されない。  
また、同様に、ペーパコア層１の他面６側（遮音層３０側）にのみ深さｔ５の機構開口１０を形成することもできる（図７（ｂ））。この場合には、遮音層３０側付近のペーパコア層１には低音吸収材１２は配置されない。
【００４１】
（７）  また、前記実施態様において、ペーパーコア層１の各コア５、５の周囲の紙材（クラフト紙）の振動をより生かして騒音を吸収する場合には、機能開口１０を形成して低音吸収材料の充填することを省略し、あるいはコア内への低音吸収材料の充填することを省略することもできる。この場合には、、ペーパーコア層１、吸音層２０、遮音層３０を単に積層して構成する（図示していない）。
【００４２】
（８）  また、前記実施態様において、ペーパーコア層１の一面６に吸音層２０を、他面６ａに遮音層３０をそれぞれ密着させたが、密着させないこともできる（図８）。なお、この場合、積層状態を維持するためには、枠材４２（縦枠材及び／又は横枠材４２ｂ）あるいは他のスぺーサーを使用することが望ましい。  
例えば、ペーパーコア層１の一面６に吸音層２０を密着させ、ペーパーコア層１の他面に間隙１４を空けて、遮音層３０を配置することもできる（図８（ａ）（ｄ））。この場合、機能開口１０を形成しない場合（図８（ａ））、機構開口１０を形成して低音吸収材１２などを充填する場合がある（図８（ｄ））。また、この場合、間隙１４を維持するためにスぺーサー５１を設ける（図８（ａ）鎖線図示５１）。以下各例で間隙１４、１５を維持するために、同様にスぺーサー５１、枠材４２などを使用することもできる（図示していない）。  
また、ペーパーコア層１の他面６ａに遮音材層３０を密着させ、ペーパーコア層１の一面６に間隙１５を空けて、吸音層２０を配置することもできる（図８（ｂ）（ｅ））。この場合、機能開口１０を形成しない場合（図８（ｂ））、機構開口１０を形成して低音吸収材１２などを充填する場合がある（図８（ｅ））。  
また、ペーパーコア層１の一面６に間隙１５を空けて吸音層２０を配置し、さらに他面６ａに間隙１４を空けて遮音材層３０を配置することもできる（図８（ｃ）（ｆ））。この場合、機能開口１０を形成しない場合（図８（ｃ））、機構開口１０を形成して低音吸収材１２などを充填する場合がある（図８（ｆ））。
【符号の説明】
【００４３】
１    ペーパーコア層
４    ペーパーコア材
５    ペーパーコア材のコア
６    ペーパーコア層の一面
６ａ  ペーパーコア層の他面
７    ペーパーコア層の側縁
８    ペーパーコア層の上縁
８ａ  ペーパーコア層の下縁
１０  機能開口
１２  低音吸収材
１４、１５  層間の隙間
２０  吸音層
２１  吸音層の内面
２１ａ  吸音層の外面
２２  吸音層の側縁
２３  吸音層の上縁
２３ａ  吸音層の下縁
３０  遮音層
３１  遮音層の内面
３１ａ  遮音層の外面
３２  遮音層の側縁
３３  遮音層の上縁
３３ａ  遮音層の下縁
４０  パネル
４２  枠材（図１）
４２ａ  縦枠材
４２ｂ  横枠材
４４  装飾布
４６  枠材（図３）
４６ａ  縦枠材
４６ｂ  横枠材
４８  内桟材（図４）
４８ａ  縦内桟材
４８ｂ  横内桟材
４９  補強内桟材（図５）
５１  スペーサー
【図１】
2014109118.tif 000003
【図２】
2014109118.tif 000004
【図３】
2014109118.tif 000005
【図４】
2014109118.tif 000006
【図５】
2014109118.tif 000007
【図６】
2014109118.tif 000008
【図７】
2014109118.tif 000009
【図８】
2014109118.tif 000010
【図９】
2014109118.tif 000011